(57)【特許請求の範囲】
【請求項１】
上下の横框と左右の縦框、更に、上桟、下桟、及び左右の縦桟を備えた障子において、
前記縦框の一方又は双方を前記縦桟に対して左右方向へ移動可能に支持する支持装置を設けており、
前記横框の一方又は双方に高さ調整用の調整桟を配置し、
前記調整桟の端部にコーナーブロックを取付け、
更に、前記縦框と前記調整桟とのコーナーにカバー材を設けると共に、前記カバー材と前記コーナーブロックとの間にはスプリングを装着しており、
前記カバー材は、前記スプリングに付勢されて前記縦框に押接され、前記縦框とともに左右方向へ移動し且つ前記調整桟とともに上下方向へ移動することを特徴とする障子の建付け調整装置。
【発明の詳細な説明】
【０００１】
【発明の属する技術分野】
本発明は、障子の建付け調整装置に関し、より詳細には、上桟、下桟に配置される横框と、左右の縦桟に配置される縦框とを備えた障子の建付け調整装置に関するものである。
【０００２】
【従来の技術】
従来より障子は、その摺動具合を良好にする等の目的で、高さ調整が行われている。例えば、上下の横框に高さ調整用の調整桟を配置し、この調整桟を横框に対して上下方向へ移動させることによって、上枠と下枠との間に正確に対応するように建付けられている。
【０００３】
【発明が解決しようとする課題】
ところで障子は、前述したように高さ調整が行われる一方、密閉性及び見栄えの点では、開口部の縦枠や、隣接する他の障子との間においてもそれぞれ正確に当接することを要する。
【０００４】
しかしながら、それらをピッタリと揃えるには、障子及び建物躯体の厳密な寸法精度が必要であるが、実際には、僅かな隙間が残る等、不揃いとなる場合が顕著であった。
【０００５】
そこで本発明は、こうした不揃いを容易に解消することができる障子の建付け調整装置を提供することを目的としている。
【０００６】
【課題を解決するための手段】
本願第１請求項に記載した発明は、上下の横框と左右の縦框、更に、上桟、下桟、及び左右の縦桟を備えた障子において、前記縦框の一方又は双方を前記縦桟に対して左右方向へ移動可能に支持する支持装置を設けており、前記横框の一方又は双方に高さ調整用の調整桟を配置し、
前記調整桟の端部にコーナーブロックを取付け、更に、前記縦框と前記調整桟とのコーナーにカバー材を設けると共に、前記カバー材と前記コーナーブロックとの間にはスプリングを装着しており、前記カバー材は、前記スプリングに付勢されて前記縦框に押接され、前記縦框とともに左右方向へ移動し且つ前記調整桟とともに上下方向へ移動する障子の建付け調整装置である。
【０００７】
このように、本発明に係る障子は、縦框を縦桟に対して左右方向へ移動可能に支持する支持装置を設けているので、縦框を適宜移動させて幅調整を行うことができ、当接する開口部の縦枠や、他の障子との不揃いを容易に解消することができる。従って、その密閉性及び見栄えを向上することができる。
【００１３】
更に本願発明は、高さ調整によって生じる縦框の長手方向の隙間及び幅調整によって生じる調整桟の長手方向の隙間を、このカバー材で補うことができ、その密閉性及び見栄えを一層向上することができる。
【００１４】
【発明の実施の形態】
以下に、本発明を図１乃至図９に示す具体例に基いて詳細に説明する。
【００１５】
本例の障子１は、図１乃至図３に示すように、上下の横框２，３と左右の縦框４，５、更に、上桟６、下桟７、左右の縦桟８，９を備え、縦框５を縦桟９に対して左右方向へ移動可能に支持する支持装置を設けている。この縦框５は、本例の場合、他の障子１’の縦框５’と対をなす召合せ框である。また、上下の横框２，３には、それぞれ、高さ調整用の調整桟１０，１１を配置している。
【００１６】
横框２，３及び縦框４，５は、内部を仕切るウェブ２ａ，３ａ，４ａ，５ａをそれぞれ備え、また、上桟６、下桟７及び左右の縦桟８，９を抱持する突条２ｂ，３ｂ，４ｂ，５ｂをそれぞれ備え、対応する端部同士を互いに支持して組み付けられる。すなわち、縦框４と横框２，３の端部同士は、縦框４に設けた接合片２０と、横框２，３のウェブ２ａ，３ａとをビス２１で連結することによって互いに支持され、また、縦框５と横框２，３の端部同士は、縦框５に装着される支持部材本体部３０及び、横框２，３のウェブ２ａ，３ａに先端を装着される延出部３１を介して互いに支持されている。
【００１７】
上桟６、下桟７及び左右の縦桟８，９は、これらの内側の上下及び左右に所定の間隔で配置される格子１２とともに一体に形成され、横框２，３及び縦框４，５を組み付けることによって、ウェブ２ａ，３ａ，４ａ，５ａ及び突条２ｂ，３ｂ，４ｂ，５ｂの間に嵌装される。
【００１８】
また、縦框４と縦桟８並びに縦框５と縦桟９とは、縦桟８，９に設けられる突出部４０に形成した長孔４１を、縦框４，５に設けた雌ねじ部４２と対応させ、この長孔４１から雌ねじ部４２にねじ４３を螺合して互いに支持されている。尚、図中の４４は、螺合したねじ４３の不要な回転を防止する座金である。
【００１９】
横框２に配置される調整桟１０は、この調整桟１０に設けた基盤５０に回転可能に装着されるとともにその先端を横框２に設けた雄ねじ部５１に螺合されるねじ軸５２に支持され、このねじ軸５２のねじ頭５２ａをドライバー等の回転工具を用いて回転させることによって、横框２に対して上下方向へ移動する。尚、図中の１３は、調整桟１０の上端部にねじ止めされる振れ止め部材である。
【００２０】
横框３に配置される調整桟１１は、横框３に設けたねじ軸６２の先端を、この調整桟１１の端部に設けたコーナーブロック６０に回転可能に装着される雌ねじ部６１に螺合して支持される。すなわち、この雌ねじ部６１は、螺合したねじ軸６２の先端を収納する円筒状のものであり、調整桟１１は、後述するように雌ねじ部６１を回転させることによって、上下方向へ移動する。
【００２１】
前記支持装置は、一つは支持部材本体部３０及び延出部３１で構成され、また、他のものは左右方向の長孔４１を有する突出部４０及び雌ねじ部４２に螺合されるねじ４３で構成され、縦框５を左右方向へ移動可能に維持して、障子１の幅調整を可能にしている。
【００２２】
また、縦框５と隣接するコーナーブロック６０には、カバー材６３を設けている。すなわち、このカバー材６３は、縦框５と調整桟１１とのコーナーに設けられ、縦框５とともに左右方向へ移動し且つ調整桟１１とともに上下方向へ移動し、高さ調整によって生じる縦框５の長手方向の不足及び幅調整によって生じる調整桟１１の長手方向の不足を補うものである。
【００２３】
図４は、横框３及び縦框５の要部を示す分解斜視図であり、図５は、支持部材本体部３０及び延出部３１を示す分解斜視図である。本例の支持部材本体部３０は、縦割り二分割の樹脂材を組み付けて形成されている。すなわち、二分割の樹脂材双方にそれぞれ形成した通孔３０ａ及び雌ねじ部３０ｂに、組み付け用のねじ３４を挿通及び螺合して組み付けられている。この支持部材本体部３０は、縦框５の内側にねじ止めされ装着される。
【００２４】
また、支持部材本体部３０の内側には、ねじ軸３２の端部を支持する切欠３０ｃを設けて、ねじ軸３２を回転可能に装着している。ねじ軸３２は、支持装置本体部３０の側部に枢着した回転操作部を操作することによって回転される。すなわち、ねじ軸３２は、このねじ軸３２に一体形成した第１歯車３２ａに、回転操作部３３に一体形成した第２歯車３３ａが噛合され、回転操作部３３をドライバー等の回転工具を用いて回転させることによって回転する。
【００２５】
延出部３１は、その基端に設けた雌ねじ部３１ａにねじ軸３２を螺合して設けられ、その先端を支持部材本体部３０の要所に設けた開口部３０ｄより延出している。この延出部３１の先端は、横框３，４のウェブ３ａ又はウェブ４ａにねじ止めされ装着される。
【００２６】
従って、この構成によれば、ねじ軸３２を回転させることによって、延出部３１は、図５中の矢印に示すように、支持部材本体部３０に対して移動し、支持部材本体部３０と延出部３１の先端は、接近又は離反する。すなわち、縦框５は、横框３及び縦桟９に対して左右方向へ移動する。このように縦框５を左右方向へ移動させて、障子１の幅調整を行うことができる。
【００２７】
尚、回転操作部３３は、縦框５に形成した切欠３５より露出され、縦框５の外側から操作することができる。とりわけ、この縦框５は、前述したように他の障子１’の縦框５’と対をなす召合せ框であるので、この切欠３５が形成された面は、日常の開け閉めにおいては他の障子１’によって隠匿される。従って、見栄えが悪くなることはない。
【００２８】
図６は、コーナーブロック６０及びこのコーナブロック６０に設けられたカバー材６３を示す分解斜視図である。
【００２９】
コーナーブロック６０は、本例の場合、縦割り二分割の樹脂材をそれらの接合面に接着剤を塗布して貼り合わせて形成されている。その内部には雌ねじ部６１を支持する切欠６０ａが設けられており、雌ねじ部６１を回転可能に装着している。また、調整桟１１には、端部より挿入して装着される。この雌ねじ部６１は、コーナーブロック６０に回転可能に装着され、また、その端部に、コーナーブロック６０に設けた開口部６０ｂよりその外周を部分的に露出する回転操作部６１ａを備えている。この回転操作部６１ａは、露出した部分を指や工具の先端等で回転することができる。また、この雌ねじ部６１に螺合される軸６２は、その上端に横框３のウェブ３ａにねじ止めされる装着端部６２ａを備え、横框３に装着されている。従って、図６中の矢印に示すように、雌ねじ部６１を回転操作部６１ａで回転させることによって、雌ねじ部６１に収納される先端部の長さが変化して移動する。すなわち、調整桟１１は、横框３に対して上下方向へ移動する。
【００３０】
カバー材６３は、縦框５と調整桟１１とのコーナーの内側に外嵌する形状を備え、また、その周囲にスプリング６４を装着した軸部６３ａを一体に備え、コーナーブロック６０に設けた環部６５に軸部６３ａの先端を挿入して設けられる。すなわち、スプリング６４は、カバー材６３と環部６５との間に介在され、カバー材６３を移動付勢して縦框５と当接する位置へもたらしている。従って、カバー材６３は、調整桟１１とともに上下方向へ移動し且つ、縦框５とともに左右方向へ移動する。尚、カバー材６３の左右方向への移動は、コーナブロック６０に設けたガイド溝６０ｃ及びガイド溝６０ｃと係合するカバー材６３に設けた突部６３ｃによって規制している。また、このガイド溝６０ｃは、コーナーブロック６０を調整桟１１に装着するにあたって、反対側からは、調整桟１１に設けた突部（図示省略）とも係合される。
【００３１】
このカバー材６３によると、高さ調整によって生じる縦框の長手方向の隙間と、幅調整によって生じる調整桟の長手方向の隙間を補うことができる。すなわち、図７乃至図８に示すように、カバー材６３は、縦框５と縦桟９とが近接した状態で且つ調整桟１１と横框３とが近接した状態においては、縦框５及び調整桟１１の内側に収容され（図７参照）、これより縦框５を左右方向へ移動させることによって、又は調整桟１１を上下方向へ移動させることによって露呈する。特に、縦框５と調整桟１１の双方を移動させた場合でも、調整桟１１とともに上下方向へ移動し且つ縦框５とともに左右方向へ移動するので、それら双方の長手方向の隙間を補うことができる（図８参照）。
【００３２】
図９は、左右方向の長孔４１を有する突出部４０及び雌ねじ部４２に螺合されるねじ４３を示す分解斜視図である。すなわち、突出部４０は、左右方向の長孔４１を備え、縦桟９にねじ止めされて設けられ、また、雌ねじ部４２は、長孔４１と対応するように、縦框５のウェブ５ａにねじ止めされて縦框５の内側に設けられている。そして、ねじ４３は、長孔４１から雌ねじ部４２に座金４４を挟んで螺合される。突出部４０には、表面の凹凸による滑り止め４０ａを形成しており、螺合の状態を強固に維持するようにしている。尚、ウェブ５ａの所要の部位には、突出部４０を縦框５の内側へ挿通する切欠４５が形成されている。また、縦框５の側面には、ねじ４３を回転させる回転工具の先端を挿入する切欠４６が形成されている。
【００３３】
この構成によれば、長孔４１の範囲内においてねじ４３を雌ねじ部４２に螺合する部位を適宜確保することができる。従って、長孔４１から雌ねじ部４２にねじを螺合することによって縦框５を縦桟９に支持することができ、また、ねじ４３の螺合を緩めることによって縦框５を縦桟９に対して左右方向へ移動させることがでる。すなわち、障子１の幅調整を行うことができる。
【００３４】
以上説明したように。本具体例の障子は、縦框を縦桟に対して左右方向へ移動可能に支持する支持装置を設けているので、縦框を適宜移動させて幅調整を行うこができ、これにより隣接する縦枠や他の障子との不揃いを容易に解消することができる。従って、その密閉性及び見栄えを向上することができる。
【００３５】
また、縦框に装着される支持部材本体部と、この支持部材本体部に回転可能に装着されるねじ軸と、このねじ軸を回転させる回転操作部と、このねじ軸が螺合する雌ねじ部を有しその先端を横框に装着される延出部とを備えた支持装置を設けたので、回転操作部でねじ軸を回転させることによって、支持部材本体部と延出部の先端とを接近又は離反して、縦框を縦桟に対して左右方向へ移動させることができ、これにより幅調整を行うことができる。すなわち、この幅調整は、回転操作部を回転させることによって行うので、容易に且つ正確に行うことができる。
【００３６】
また、左右方向の長孔を有し縦桟に設けられる突出部と、縦框に設けられこの長孔と対応する雌ねじ部と、この長孔からこの雌ねじ部に螺合されるねじとを備えた支持装置を設けたので、長孔の範囲内においてねじを雌ねじ部に螺合する部位を適宜確保することができる。従って、長孔から雌ねじ部にねじを螺合することによって縦框を縦桟に支持することができ、また、ねじの螺合を緩めることによって縦框を縦桟に対して左右方向へ移動させることができ、これにより幅調整を行うことができる。
【００３７】
また、横框の一方又は双方に高さ調整用の調整桟を配置したので、縦框による幅調整と調整桟による高さ調整が可能であり、更に、縦框と調整桟とのコーナーに、縦框とともに左右方向へ移動し且つ調整桟とともに上下方向へ移動するカバー材を設けたので、高さ調整によって生じる縦框の長手方向の隙間及び幅調整によって生じる調整桟の長手方向の隙間を、このカバー材で補うことができ、その密閉性及び見栄えを一層向上することができる。
【００３８】
【発明の効果】
以上説明したように、本願第１請求項に記載した発明は、上下の横框と左右の縦框、更に、上桟、下桟、及び左右の縦桟を備えた障子において、前記縦框の一方又は双方を前記縦桟に対して左右方向へ移動可能に支持する支持装置を設けており、前記横框の一方又は双方に高さ調整用の調整桟を配置し、
前記調整桟の端部にコーナーブロックを取付け、更に、前記縦框と前記調整桟とのコーナーにカバー材を設けると共に、前記カバー材と前記コーナーブロックとの間にはスプリングを装着しており、前記カバー材は、前記スプリングに付勢されて前記縦框に押接され、前記縦框とともに左右方向へ移動し且つ前記調整桟とともに上下方向へ移動する障子の建付け調整装置である。
【００３９】
このように、本発明に係る障子は、縦框を縦桟に対して左右方向へ移動可能に支持する支持装置を設けているので、縦框を適宜移動させて幅調整を行うことができ、当接する開口部の縦枠や、他の障子との不揃いを容易に解消することができる。従って、その密閉性及び見栄えを向上することができる。
【００４５】
更に本願発明は、高さ調整によって生じる縦框の長手方向の隙間及び幅調整によって生じる調整桟の長手方向の隙間を、このカバー材で補うことができ、その密閉性及び見栄えを一層向上することができる。
【図面の簡単な説明】
【図１】本発明の具体例に係り、障子を示す外観図である。
【図２】本発明の具体例に係り、横框及び縦框の組み立てを示す正面図である。
【図３】本発明の具体例に係り、障子を示す正面図である。
【図４】本発明の具体例に係り、縦框及び横框の要部を示す分解斜視図である。
【図５】本発明の具体例に係り、支持部材本体部及び延出部を示す分解斜視図である。
【図６】本発明の具体例に係り、コーナーブロック及びカバー材を示す分解斜視図である。
【図７】本発明の具体例に係り、縦框及び横框の要部を示す正面図である。
【図８】本発明の具体例に係り、縦框及び横框の要部を示す正面図である。
【図９】本発明の具体例に係り、突出部及びねじを示す分解斜視図である。
【符合の説明】
１      障子
２      横框
２ａ      ウェブ
２ｂ      突条
３      横框
３ａ      ウェブ
３ｂ      突条
４      縦框
４ａ      ウェブ
４ｂ      突条
５      縦框
５ａ      ウェブ
５ｂ      突条
６      上桟
７      下桟
８      縦桟
９      縦桟
１０      調整桟
１１      調整桟
１２      格子
１３      振れ止め部材
２０      接合片
２１      ビス
３０      支持部材本体部
３０ａ      通孔
３０ｂ      ねじ孔
３０ｃ      切欠
３０ｄ      開口部
３１      延出部
３１ａ      雌ねじ部
３２      ねじ軸
３２ａ      第１歯車
３３      回転操作部
３３ａ      第２歯車
３４      ねじ
４０      突出部
４０ａ      滑り止め
４１      長孔
４２      雌ねじ部
４３      ねじ
４４      座金
４５      切欠
４６      切欠
５０      基盤
５１      雌ねじ部
５２      ねじ軸
５２ａ      ねじ頭
６０      コーナーブロック
６０ａ      切欠
６０ｂ      開口部
６０ｃ      ガイド溝
６１      雌ねじ部
６１ａ      回転操作部
６２      ねじ軸
６２ａ      装着端部
６３      カバー材
６３ａ      軸部
６３ｂ      突部
６４      スプリング
６５      環部
【図１】
0003951351.tif 000002
【図２】
0003951351.tif 000003
【図３】
0003951351.tif 000004
【図４】
0003951351.tif 000005
【図５】
0003951351.tif 000006
【図６】
0003951351.tif 000007
【図７】
0003951351.tif 000008
【図８】
0003951351.tif 000009
【図９】
0003951351.tif 000010